(57)【要約】【課題】空気中の異物の吸引を抑制する鼻栓に関し、鼻から取り外す際に一部が鼻腔内に残ってしまうおそれがなく、息苦しさも軽減できる鼻栓を提案する。【解決手段】本発明の鼻栓は、左右の鼻腔内に挿入される一対の挿入部２を有し、この一対の挿入部２を、連結部３を介して一体連結させており、挿入部２は、表裏を貫通する複数の開孔２ｂを有する円板状の天壁２ａと、天壁２ａの縁部より垂下される周壁２ｃとからなり、天壁２ａの表壁面２ａ１及び裏壁面２ａ２の少なくとも一方に、開孔２ｂを除いて粘着剤５を設けることを特徴とする。【選択図】図１
2012179126.tif 000002
【特許請求の範囲】
【請求項１】
左右の鼻腔内に挿入される一対の挿入部を有し、該一対の挿入部を連結部を介して一体連結させた鼻栓であって、
前記挿入部は、表裏を貫通する複数の開孔を有する円板状の天壁と、該天壁の縁部より垂下される周壁とからなり、
前記天壁の表壁面及び裏壁面の少なくとも一方に、前記開孔を除いて粘着剤を設けることを特徴とする鼻栓。
【請求項２】
前記天壁に、前記粘着剤を覆い隠す保護フィルムを設けた請求項１に記載の鼻栓。
【請求項３】
前記連結部は、前記周壁の開放端にそれぞれつながる一対の棒状体と、左右の鼻腔の外側にて各棒状体を差し渡すブリッジとからなる、請求項１または２に記載の鼻栓。
【発明の詳細な説明】
【技術分野】
【０００１】
本発明は、鼻腔内に挿入されて、空気中に浮遊する埃や塵、花粉等の吸入を抑制する鼻栓に関するものである。
【背景技術】
【０００２】
空気中に浮遊する、例えば埃や塵、花粉等の異物は、鼻から吸引されてその内側の粘膜に接触すると、くしゃみや鼻水等の症状を引き起こす場合がある。このような症状の予防や軽減を目的とするものとしては、例えば特許文献１に示すような、鼻に保持するための保持部材を有し、その保持部材の一端部にフィルター部材を係止させた鼻栓が知られている。この鼻栓によれば、フィルター部材を鼻腔内に挿入することで、空気中の異物の吸引を抑制することが期待できる。
【０００３】
ところで上記の鼻栓は、保持部材の一端部をＴ字状とし、さらにその表面に凸部を設けることで、フィルター部材が保持部材から外れてしまうことを防止しようとしているが、保持部材の引き抜き加減によっては、フィルター部材を鼻腔内に残したまま外れてしまうことがあった。また、フィルター部材を直接鼻腔内に挿入するため、息苦しさを感じることもあった。この場合、目の粗いフィルター部材を用いて通気性を良くすることも考慮されるが、目の粗いフィルターでは、保持部材との接触面積も減少してより一層外れやすくなる懸念があり、未だ改善の余地が残されていた。
【先行技術文献】
【特許文献】
【０００４】
【特許文献１】登録実用新案第３０５２４５７号公報
【発明の概要】
【発明が解決しようとする課題】
【０００５】
本発明の課題は、空気中に浮遊する埃や塵、花粉等の異物の吸入を抑制する鼻栓に関し、その鼻栓を鼻から取り外す際に、鼻栓の一部が鼻腔内に残ってしまうおそれがなく、しかも、鼻栓を鼻腔内に挿入したことによる息苦しさを軽減することもできる新規な鼻栓を提案するところにある。
【課題を解決するための手段】
【０００６】
本発明は、左右の鼻腔内に挿入される一対の挿入部を有し、該一対の挿入部を連結部を介して一体連結させた鼻栓であって、
前記挿入部は、表裏を貫通する複数の開孔を有する円板状の天壁と、該天壁の縁部より垂下される周壁とからなり、
前記天壁の表壁面及び裏壁面の少なくとも一方に、前記開孔を除いて粘着剤を設けることを特徴とする鼻栓である。
【０００７】
前記天壁に、前記粘着剤を覆い隠す保護フィルムを設けることが望ましい。
【０００８】
前記連結部は、前記周壁の開放端にそれぞれつながる一対の棒状体と、左右の鼻腔の外側にて各棒状体を差し渡すブリッジとからなることが望ましい。
【発明の効果】
【０００９】
本発明に係る鼻栓は、左右の鼻腔内に挿入される一対の挿入部を、連結部を介して一体連結させているので、鼻腔内から鼻栓を取り出す際に、挿入部が連結部から外れてしまうことがなくなる。また、この挿入部の天壁に、表裏を貫通させて複数の開孔を形成するとともにこの開孔を除いた部位に粘着剤を設けたことにより、通常の鼻栓の挿入部となる不織布やスポンジ等に対して開孔径が大きくなる一方、粘着剤の作用下で空気中の異物を捕集することができるので、息苦しさの軽減を図りつつ、鼻腔内に侵入する異物を減らすことができる。
【００１０】
挿入部の天壁に、この天壁に設けられた粘着剤を覆い隠す保護フィルムを配設する場合は、使用直前まで粘着剤が外気に触れることがないので、異物への粘着効果を十分に発揮させることができる。
【００１１】
連結部を、周壁の開放端にそれぞれつながる一対の棒状体と、左右の鼻腔の外側にて各棒状体を差し渡すブリッジとからなるものとする場合は、外部から直接見える部分がブリッジだけとなるので、鼻腔内に装着している状態でも鼻栓が目立ちにくくなる。
【図面の簡単な説明】
【００１２】
【図１】本発明に従う鼻栓の実施の形態を示す斜視図である。
【図２】図１に示すＡ−Ａに沿う断面図である。
【図３】図２に示す断面図の拡大図であって、保護フィルムを鼻栓から剥がす途中の状態を示す図である。
【図４】本発明に従う鼻栓の他の実施の形態を示す、図１のＡ−Ａに準じた断面図である。
【図５】図１、図４に示す鼻栓の使用状態を示す略線断面図である。
【発明を実施するための形態】
【００１３】
以下、図面を参照して、本発明をより具体的に説明する。
図１は、本発明に従う鼻栓の実施の形態を示す斜視図であり、図２は、図１に示すＡ−Ａに沿う断面図であり、図３は、図２に示す断面図の拡大図であって、保護フィルムを鼻栓から剥がす途中の状態を示す図であり、図４は、本発明に従う鼻栓の他の実施の形態を示す、図１のＡ−Ａに準じた断面図であり、図５は、図１、図４に示す鼻栓の使用状態を示す略線断面図である。
【００１４】
図１において、１は本発明に従う鼻栓の一実施例である。鼻栓１は、左右の鼻腔内に挿入される一対の挿入部２と、これらの挿入部２を相互に一体連結する連結部３とを備えている。また、図示の例で、鼻腔内に挿入する際に先に挿入されることになる挿入部２の表側には、一対の挿入部２を跨いで配設される矩形状の表側保護フィルム４ａ（図１の二点鎖線部分）が設けられている。更に、表側保護フィルム４ａの裏面には、粘着剤５が塗布されている。ここで挿入部２及び連結部３は、ともに合成樹脂にて形成されている。
【００１５】
図１、図２に示すように挿入部２は、円板状の天壁２ａを有している。天壁２ａには、その天壁２ａの表裏を貫通する複数の開孔２ｂが形成されている。従来、鼻腔内に挿入する挿入部としては、細い繊維を絡み合わせてシート状にした不織布や、内部に複数の孔が形成されている、例えばスポンジ等の多孔質体が用いられているが、本発明に係る鼻栓１の開孔２ｂは、貫通孔であるので、天壁２ａの表裏間の空気の通過を容易にすることができる。また、挿入部２は、天壁２ａの縁部より垂下される周壁２ｃを有しており、天壁２ａ及び周壁２ｃによって区画凹所空間Ｍを形成している。そして、区画凹所空間Ｍの開放口となる周壁２ｃの縁部が開放端２ｃ１となっている。
【００１６】
連結部３は、図１、図２に示すように、一端側が各周壁２ｃの開放端２ｃ１にそれぞれ連結する一対の棒状体３ａと、各棒状体３ａを、それらの他端側で差し渡して連結させたブリッジ３ｂとから形成されていて、全体としてＵ字状となっている。また図示のように棒状体３ａ及びブリッジ３ｂは、挿入部２に対して十分に細くなっている。
【００１７】
天壁２ａの表側の表壁面２ａ１及び裏側の裏壁面２ａ２の少なくとも一方には、開孔２ｂを除いて粘着剤５が設けられる。図２及び図３は、天壁２ａの表壁面２ａ１に粘着剤５を設ける場合を示し、図４は、天壁２ａの裏壁面２ａ２に粘着剤５を設ける場合を示している。また、粘着剤５を保護する保護フィルム４として、図２及び図３に示す例では表側保護フィルム４ａを設け、図４に示す例では、裏側保護フィルム４ｂを設けている。表側保護フィルム４ａは、上述したように矩形状であり、裏側保護フィルム４ｂは、図４に示すように、天壁２ａの裏壁面２ａ２と略同一形状の円板に舌片を連結した形状であるが、使用態様に応じて種々の形状を選択することができる。
【００１８】
ここで粘着剤５は、天壁２ａに直接塗布して設けても良いが、開孔２ｂを塞いでしまうおそれがある。このため、例えば図３に示すように、予め表側保護フィルム４ａの面上に粘着剤５を塗布しておき、粘着剤５側を天壁２ａに向けた状態で、表側保護フィルム４ａを鼻栓１に貼りつけることが好ましい。これにより、図３に示すように使用時に表側保護フィルム４ａを剥がすことで、開孔２ｂ上の粘着剤５を取り除くことができる。また裏側保護フィルム４ｂを用いる場合も、表側保護フィルム４ａと同様にして粘着剤５を設けることが好ましい。ここで粘着剤５は、空気中に浮遊する埃や塵、花粉等の異物が触れると、これらを捕集して再び空気中に戻さないようにするためのものであり、粘性のある各種のものを使用することができる。なお粘着剤５を、天壁２ａの表壁面２ａ１及び裏壁面２ａ２の両面に設ける場合は、より確実に空気中に浮遊する異物を取り除くことができる。
【００１９】
上記のような構成となる鼻栓１を使用するに当たっては、保護フィルム４を剥がした状態で、図５に示すように各挿入部２を左右の鼻腔内に挿入する。鼻栓１は、周壁２ｃと鼻腔との接触、及びＵ字状の連結部３が挿入時にわずかに広げられることによる挟持力により、鼻腔内に保持される。そして使用者が鼻から吸引すると、外気が区画凹所空間Ｍを経由して、開孔２ｂから鼻腔内に吸引される。この時、区画凹所空間Ｍに対して各開孔２ｂは狭くなっているので、外気が開孔２ｂを通り抜ける際に外気の流れに乱れが生じることとなる。このため、従来の不織布等を用いた場合よりも開孔径が大きくなる開孔２ｂを用いていても、外気が粘着剤５上を満遍なく通過することとなり、外気中の異物を効率よく捕集することができる。これにより、鼻腔内に挿入部を挿入したことによる息苦しさの軽減を図りつつ、鼻腔内に侵入する異物を減らすことが可能となる。また挿入部２と連結部３とが一体連結しているので、連結部３を引っ張ると、挿入部２を確実に鼻腔から取り出すことができ、使い勝手を損なうことがない。
【００２０】
また図５に示すように、鼻栓１を鼻腔内に装着している際に外部から直接見える部分は、連結部３のうち、ブリッジ３ｂのみとなる。上述したようにブリッジ３ｂは細くなっているので目立ちにくくなっている。さらに、ブリッジ３ｂを肌に近い色で形成することで、より目立ちにくくすることができる。
【産業上の利用可能性】
【００２１】
本発明によれば、空気中に浮遊する埃や塵、花粉等の異物の吸入を抑制する鼻栓に関し、その鼻栓を鼻から取り外す際に、鼻栓の一部が鼻腔内に残ってしまうおそれがなく、しかも、鼻栓を鼻腔内に挿入したことによる息苦しさを軽減することもできる。
【符号の説明】
【００２２】
１    鼻栓
２    挿入部
２ａ  天壁
２ａ１  表壁面
２ａ２  裏壁面
２ｂ    開孔
２ｃ  周壁
３    連結部
３ａ  棒状体
３ｂ  ブリッジ
４    保護フィルム
５    粘着剤
【図１】
2012179126.tif 000003
【図２】
2012179126.tif 000004
【図３】
2012179126.tif 000005
【図４】
2012179126.tif 000006
【図５】
2012179126.tif 000007